(57)【要約】      （修正有）【課題】ネイルアート作業時に発生する粉塵の飛散を防止する、吸入範囲の拡張が可能な吸塵機を提供する。【解決手段】吸入された空気から粉塵を濾して外部に排出させるようにフィルタが備えられたフィルタアセンブリ４００と、内側にファンモータが固定され、フィルタアセンブリが収容される下部ハウジング３００と、粉塵が吸入される第１吸入口２１０が備えられ、内側に第１吸入口から吸入された空気を案内する流路が形成され、下部ハウジングの上面に立設された上部ハウジング２００と、透明窓１２０、および該透明窓を支持するフレーム１１０を備え、上下回転可能に上部ハウジングに結合されたユーザー保護ヘッド１００とを含む、吸入範囲の拡張が可能な吸塵機。【選択図】図１
2020130996.tif 000002
【特許請求の範囲】
【請求項１】
吸入された空気から粉塵を濾して外部へ排出させるようにフィルタが備えられたフィルタアセンブリと、
内側にファンモータが固定され、フィルタアセンブリが収容される下部ハウジングと、
粉塵が吸入される第１吸入口が備えられ、内側に第１吸入口から吸入された空気を案内する流路が形成され、下部ハウジングの上面に立設された上部ハウジングと、
透明窓、および該透明窓を支持するフレームを備え、上下回転可能に上部ハウジングに結合されたユーザー保護ヘッドとを含む、吸入範囲の拡張が可能な吸塵機。
【請求項２】
第１吸入口は、
上部ハウジングの一面で上下方向に切開および延びる複数の長孔からなり、
複数の長孔は、
ファンモータにより発生した内側吸入圧力が高い領域と吸入圧力が低い領域にわたって整列され、領域別の圧力差によってその長さが異なることを特徴とする、請求項１に記載の吸入範囲の拡張が可能な吸塵機。
【請求項３】
上部ハウジングは、
第１吸入口の下側で水平に延びる長孔からなり、粉塵が含まれた周辺空気を吸入する第２吸入口をさらに含む、請求項１に記載の吸入範囲の拡張が可能な吸塵機。
【請求項４】
第１吸入口および第２吸入口は、
上部ハウジングの内向した湾曲面に形成されることを特徴とする、請求項３に記載の吸入範囲の拡張が可能な吸塵機。
【請求項５】
フィルタアセンブリは、
フィルタを収容し、一側には粉塵の含まれた空気が流入する開口部、反対側には浄化した空気が排出される排出部が形成され、下部ハウジングに対して着脱可能なトレイと、
トレイに収納されたフィルタから粉塵を分離させるフィルタ清掃手段とを含み、
フィルタ清掃手段は、
先端で切開された離隔溝を挟んで突出する一つ以上の打撃突起と、先端から後方に延びる取っ手とを含むことを特徴とする、請求項１に記載の吸入範囲の拡張が可能な吸塵機。
【請求項６】
トレイは、
開口部で延びる一つ以上の案内レールを含み、
フィルタ清掃手段は、
離隔溝に案内レールが嵌められることにより前後方向にスライディングが可能であり、打撃突起が開口部の内側に引き込まれることによりフィルタに接触することを特徴とする、請求項４に記載の吸入範囲の拡張が可能な吸塵機。
【請求項７】
上部ハウジングは、
第１吸入口から吸入された空気による渦流を防止するように上部ハウジングの内側で下方に延びる垂直リブと、垂直リブと交差するように水平に延びる水平リブとをさらに含む、請求項１に記載の吸入範囲の拡張が可能な吸塵機。
【発明の詳細な説明】
【技術分野】
【０００１】
本発明は、吸入範囲の拡張が可能な吸塵機に関する。
【背景技術】
【０００２】
ネイルの表面に色をつけたり絵を描いたりするなどのネイルアートに使われる材料としては、マニキュア、リムーバー、オイル、トップコート、ドライヤーなどがあるが、このような材料の成分は、主に刺激的な臭いを誘発するか、空気中に拡散される際に環境汚染をもたらす毒性を含有した化学成分が多い。
【０００３】
このような材料を使用してネイルアート作業をする際には四方が開放されている作業環境で行うことが一般的であり、このため、必然的に作業者と利用者は有害な化学物質に露出される。したがって、このような環境で長時間ネイルアート作業をする際には作業環境内の空気が汚染され、作業者と利用者の呼吸器系疾患を誘発し得る問題点がある。
【０００４】
また、ネイルの表面をなめらかにするための研削作業や、周辺皮膚の角質除去のようなケアのためのハンドピースを用いている。しかし、従来のハンドピースには別途の粉塵吸入装置がないため、ハンドピースを用いてネイルの研磨、切断などの作業時に発生するネイル粉塵が四方に飛散して服についたり周囲を汚したりし、呼吸器にも吸入されて衛生上良くない問題点が発生する。
【０００５】
したがって、従来からネイルアート作業時に発生する粉塵の飛散を防止するためのネイル用集塵機が提案されている。このような従来のネイル用集塵機は、作業者がうつむいて作業をするため、ネイルケア作業時に粉塵を吸引したとしても作業者との距離が近いので、粉塵を吸入することがあり、目に粉塵が浸透して健康に深刻な影響を与えるので、改善策が必要な実情である。
【０００６】
また、従来の粉塵吸塵機は、モータと吸入口との間の距離、または流路形状の差異によって内部から吸入力が均一に分散されず、圧力が高い領域に形成された吸入口の周辺にのみ集中するため、吸入範囲が狭くなる原因となった。
【先行技術文献】
【特許文献】
【０００７】
【特許文献１】韓国登録実用新案第２０−０４８７７３５号公報（２０１８年１０月２２日）
【発明の概要】
【発明が解決しようとする課題】
【０００８】
したがって、本発明は、前記のような従来の問題点を解決するために案出されたものであり、その目的は、空気力学的構造の設計によりファンモータの吸入力が均一に分散して吸入範囲を拡張できる吸塵機を提供することにある。
【０００９】
また、本発明の他の目的は、ユーザーが作業する際、粉塵の吸入および粉塵の目への浸透が行われないようにユーザーを保護し、ユーザーの身体的状況によって適切な調整が可能なユーザー保護用ヘッドを備えたネイル用吸塵機を提供することにある。
【課題を解決するための手段】
【００１０】
本発明は、前記目的を達成するために下記の実施形態を含み得る。
【００１１】
本発明の実施形態は、吸入された空気から粉塵を濾して外部に排出させるようにフィルタが備えられたフィルタアセンブリと、内側にファンモータが固定され、フィルタアセンブリが収容される下部ハウジングと、粉塵が吸入される第１吸入口が備えられ、内側に第１吸入口から吸入された空気を案内する流路が形成され、下部ハウジングの上面に立設された上部ハウジングと、透明窓、および該透明窓を支持するフレームを備え、上下回転可能に上部ハウジングに結合されたユーザー保護ヘッドとを含む吸入範囲の拡張が可能な吸塵機を提供できる。
【発明の効果】
【００１２】
本発明は、角度調節が可能なユーザー保護ヘッドを備えることによって、ユーザーが作業する際に粉塵の吸入や目への浸透を防止できるため、作業が便利になる効果が得られる。
【００１３】
また、本発明は、複数の長孔により吸入口を構成することによって、ファンモータで発生した吸入圧力を均等に分散させることができ、吸入範囲をより拡張させる効果がある。
【図面の簡単な説明】
【００１４】
【図１】本発明による吸入範囲の拡張が可能な吸塵機を示す斜視図である。
【図２】第１吸入口を拡大して示す図である。
【図３】ユーザー保護ヘッドと上部ハウジングを示す図である。
【図４】上部ハウジングを示す断面図である。
【図５】図４の渦流防止手段を拡大して示す図である。
【図６】図４の渦流防止手段を示す斜視図である。
【図７】フィルタアセンブリと下部ハウジングの分解斜視図である。
【図８】トレイとフィルタ清掃手段を示す斜視図である。
【発明を実施するための形態】
【００１５】
本発明は、多様な変更を加えることができ、様々な実施形態を有し得るが、特定の実施形態を図面に例示して詳細に説明する。
【００１６】
これは、本発明を特定の実施形態に限定しようとするものではなく、互いに異なる方向に延びる構造物を連結および／または固定させるための本発明の思想および技術範囲に含まれるすべての変更、均等物ないし代替物のうちいずれか一つに該当するものとして理解しなければならない。
【００１７】
本明細書で使った用語は、単に特定の実施形態を説明するために使われたものであり、本発明を限定する意図ではない。単数の表現は、文脈上明白に異なる意味を示さない限り、複数の表現を含む。本明細書において、「含む」または「有する」等の用語は、明細書に記載された特徴、数字、段階、動作、構成要素、部品またはこれらの組み合わせの存在を指定するためであり、一つまたはそれ以上の他の特徴や数字、段階、動作、構成要素、部品またはこれらの組み合わせの存在または付加の可能性をあらかじめ排除しないものとして理解しなければならない。
また、本発明の説明において、関連する公知技術に対する具体的な説明が本発明の要旨を不要に曖昧にすると判断する場合、その詳細な説明は省略する。
以下では、本発明による吸入範囲の拡張が可能な吸塵機の好ましい実施形態を添付する図面を参照して説明する。
【００１８】
図１は本発明による吸入範囲の拡張が可能な吸塵機を示す斜視図であり、図２は第１吸入口２１０を拡大して示す図であり、図３はユーザー保護ヘッド１００と上部ハウジング２００を示す図であり、図４は上部ハウジング２００を示す断面図である。
【００１９】
図１ないし図４を参照すれば、本発明による吸入範囲の拡張が可能な吸塵機は、ファンモータ５００が収容される下部ハウジング３００、下部ハウジング３００の上面で直立した上部ハウジング２００、上部ハウジング２００で上下方向に回転可能に結合されたユーザー保護ヘッド１００、下部ハウジング３００に着脱可能なフィルタアセンブリ４００を含む。
【００２０】
下部ハウジング３００は、ファンモータ５００が設けられる内部空間を有し、一側にフィルタアセンブリ４００が収容される収容部３１０（図７を参照）が備えられる。ここで、下部ハウジング３００は、上面またはその他壁面に電源スイッチなどが備えられた操作パネルが設けられ得る。
【００２１】
上部ハウジング２００は、下部ハウジング３００の上面に直立した上部本体２３０の一面に粉塵が含まれた空気が吸入される第１吸入口２１０と第２吸入口２２０、上部内側に渦流発生を防止する渦流防止手段と、ユーザー保護ヘッド１００とヒンジ結合する上部ヒンジ２４０を含み得る。
【００２２】
この中で第１吸入口２１０は、直立した上部本体２３０の一面に複数の長孔からなる。ここで、長孔は、ファンモータ５００との距離に応じて上下方向に延びる長さの差がある。
【００２３】
図示した図を例として説明すると、第１吸入口２１０は、上下方向に切開した複数の長孔からなり、それぞれの長孔の長さは、ファンモータ５００との距離および／または位置に応じて設定される。例えば、ファンモータ５００で発生した吸入力が最も強く作用する中心部は、最も長い長さを有するように延びる。また、第１吸入口２１０は、中心部を基準に徐々にその長さが短縮するように形成される。
【００２４】
すなわち、上部ハウジング２００は、ファンモータ５００により発生する吸入圧力で外部の空気を吸入する。ただし、上部ハウジング２００の内部は、ファンモータ５００の距離や流路の形状に応じて吸入圧力が高く作用する領域と、低く作用する領域が存在し得る。したがって、長孔の幅と長さがいずれも均一に形成される場合、吸入モータで発生した吸入圧力が均一に分散されず、粉塵吸入がファンモータ５００と最も近い長孔にのみ集中され得る。
【００２５】
したがって、本発明では上部ハウジング２００の吸入圧力差に応じて、第１吸入口２１０を構成する長孔のうち吸入圧力が最も高く作用する中心部を形成する長孔を最も長く形成し、これを中心に側方面に整列した長孔の長さを徐々に縮小した。
【００２６】
このような長孔の配置は、ファンモータ５００の吸入力が強く作用する部位に長孔をより拡大して空気吸気量を増加させ、ファンモータ５００の吸入圧力が低い領域で長孔を狭めて吸気量を減らし、吸入力を均一に分散させたことを特徴とする。
【００２７】
第２吸入口２２０は、上部本体２３０の一面で水平に延長形成されて粉塵が含まれた空気を吸入する。ここで、第２吸入口２２０は、第１吸入口２１０に比べて下側に位置する粉塵を吸入する。第２吸入口は、ファンモータと相対的に距離が近いため、水平に延びた長孔からなる。
【００２８】
すなわち、本発明は、複数の長孔として、吸入圧力差に応じて異なる長さを有する垂直方向の長孔からなる第１吸入口２１０と、水平に延びる単一長孔からなる第２吸入口２２０が、第１吸入口の下側にファンモータ５００と近い位置に形成される。
【００２９】
また、上部ハウジング２００で第１吸入口２１０が形成された一面は、内向する湾曲面で形成され得る。このような内向する湾曲面は、周辺の空気が湾曲面に沿って第１吸入口２１０側に流れて行くように空気の流れを案内し得る。
渦流防止手段２５０は、図５と図６を参照して説明する。図５は図４の渦流防止手段を拡大して示す図であり、図６は図４の渦流防止手段を示す斜視図である。
【００３０】
図５および図６を参照すれば、渦流防止手段２５０は、上部本体２３０の上部内側で下方に延びて空間を区切る垂直リブ２５２と、垂直リブ２５２と交差して水平に延びる水平リブ２５１とを含む。
【００３１】
垂直リブ２５２は、上部ハウジング２００の一面と対向面にそれぞれ両端部が連結されるように下方に延び、上部ハウジング２００の上側の内部空間を分割する。
水平リブ２５１は、一つ以上であり、垂直リブ２５２と交差する方向に延びて形成される。
【００３２】
このような水平リブ２５１と垂直リブ２５２は、第１吸入口２１０を介して吸入した空気が上部ハウジング２００の上側で渦流を形成しないように空気の流れを邪魔する役割をする。特に湾曲面に沿って第１吸入口２１０の下側に流入した空気は、流路が上方向に形成されて上部ハウジング２００の内側壁面に当たる場合に渦流が発生し得る。このような渦流は、上部ハウジング２００で下部ハウジング３００に排出する空気を阻害し得る。
したがって、本発明は、上部ハウジング２００の内側にこのような渦流形成を防止するために渦流防止手段２５０を備えた。
【００３３】
上部ヒンジ２４０は、上部ハウジング２００の側部から突出し、内側に穴が形成される締結口２４１と、締結口２４１を中心に側方に突出してユーザー保護ヘッド１００を案内する案内板２４２とを含む。
締結口２４１は、上部ハウジング２００の側面から突出し、後述するユーザー保護ヘッド１００のヒンジ軸が回転可能に締結される穴が形成される。
【００３４】
案内板２４２は、上部ハウジング２００の側面から締結口２４１を中心に突出してユーザー保護ヘッド１００の回転方向および範囲を案内する。好ましくは、案内板２４２は、ユーザー保護ヘッド１００の回転範囲を制限できるようにストッパ（図示せず）を含み得る。ストッパは、例えば、ユーザー保護ヘッド１００の回転範囲を制限するように案内板２４２のいずれか一つの地点に突起や溝を備え、ユーザー保護ヘッド１００は、突起や溝に挿入または係止する構造物からなる。
【００３５】
ユーザー保護ヘッド１００は、透明材質の透明窓１２０と、透明窓１２０を固定させる固定フレーム１１０と、上部ハウジング２００にヒンジ結合するヘッドヒンジ１３０とを含む。
【００３６】
透明窓１２０は、プラスチック、ガラスなどの透明材質からなり、ユーザーの粉塵吸入を防止するように第１吸入口２１０の上側を遮蔽する。すなわち、ユーザーは、透明窓１２０の上側に頭が位置した後に手が透明窓１２０の下に位置し、ネイルケア作業を行い得る。
【００３７】
ここで、上部ハウジング２００、下部ハウジング３００またはユーザー保護ヘッド１００は、作業の便宜のために透明窓１２０と下部ハウジング３００の上側との間の作業空間を照らすように照明手段をさらに備え得る。照明手段は、例えば、ＬＥＤランプであり、スイッチがオンすれば発光して透明窓１２０の下の作業空間を照明する。
【００３８】
固定フレーム１１０は、透明窓１２０を固定させる。すなわち、固定フレーム１１０は、例えば、上部と下部に分離および結合されて透明窓１２０の外側に締結される。
【００３９】
ヘッドヒンジ１３０は、固定フレーム１１０で下方に延びる上部ヒンジ２４０に回転可能に締結される。ここで、ヘッドヒンジ１３０は、締結口２４１に挿入されるヒンジ棒１３１と、ヒンジ棒１３１を支持する支持板１３２とを含む。
【００４０】
支持板１３２は、相互離隔した一対であり、固定フレーム１１０の下面から下方突出する。支持板１３２は、案内板２４２の外面に密着または近接する位置で回転する。したがって、支持板１３２は、案内板２４２との摩擦力を最小化するように案内板２４２と接触する端部に切開形成された摩擦防止溝１３２ａを含む。
ヒンジ棒１３１は、案内板２４２からそれぞれ突出して上部ヒンジ２４０の締結口２４１に挿入される。
【００４１】
フィルタアセンブリ４００は、下部ハウジング３００に着脱可能なように構成され、上部ハウジング２００を介して吸入された空気中に粉塵を濾して浄化した空気を排出させる。このようなフィルタアセンブリ４００に対する説明は図７及び図８を参照して説明する。
図７はフィルタアセンブリ４００と下部ハウジング３００の分解斜視図であり、図８はトレイ４１０とフィルタ清掃手段４３０を示す斜視図である。
【００４２】
図７及び図８を参照すれば、フィルタアセンブリ４００は、フィルタ４２０、フィルタ４２０を収容するトレイ４１０、およびフィルタ４２０の粉塵を除去するフィルタ清掃手段４３０を含む。
トレイ４１０は、浄化した空気を排出する排出部４１１、粉塵が含まれた空気が流入する開口部４１２、および開口部４１２に延びる案内レール４１３を含む。
【００４３】
開口部４１２は、収容部３１０の内側に引き込まれる方向の壁面であり、開放されて上部ハウジング２００および下部ハウジング３００に伝達された粉塵が含まれた空気が流入する入口である。
排出部４１１は、開口部４１２を介して流入した空気がフィルタ４２０を通過しながら粉塵が除去された空気を外部に排出させる。
案内レール４１３は、開口部４１２で一つまたはそれ以上が一方向に延び、フィルタ清掃手段４３０が移動可能なように支持する。
【００４４】
すなわち、トレイ４１０は、内側にフィルタ４２０が収納される空間を形成するように両側壁面と天井面および底面を構成し、下部ハウジング３００の収納部側の壁面が開放されて開口部４１２が形成され、開口部４１２に対向する壁面に浄化した空気が排出される排出部４１１が形成される。
フィルタ清掃手段４３０は、トレイ４１０の開口部４１２を介してフィルタ４２０に接触する先端４３１と、先端４３１で後方に延びた取っ手４３２とを含む。
先端４３１は、内向する離隔溝４３１ａと、離隔溝４３１ａ同士の間に突設される打撃突起とを含む。
【００４５】
離隔溝４３１ａは、先端４３１で内向するように切開形成され、案内レール４１３が嵌められる。したがって、離隔溝４３１ａは、案内レール４１３に沿って先端４３１が移動する時、離脱防止および定められた方向にスライディングするように案内する。
【００４６】
打撃突起４３１ｂは、離隔溝４３１ａの間で下方に延びる。したがって、先端４３１の離隔溝４３１ａに案内レール４１３が嵌められれば、打撃突起４３１ｂは、案内レール４１３の間を介して開口部４１２の内側に引き込まれ、フィルタ４２０に接触する。したがって、先端４３１が案内レール４１３に沿って移動すれば、打撃突起４３１ｂがフィルタ４２０を打撃しながら移動するため、フィルタ４２０に積もった粉塵が除去され得る。
【００４７】
したがって、ユーザーが離隔溝４３１ａに案内レール４１３が嵌められるように先端４３１を開口部４１２に締結し、取っ手４３２を握ってスライディングさせれば案内レール４１３の間に引き込まれた打撃突起４３１ｂが開口部４１２の内側でフィルタ４２０を打撃しながら移動する。したがって、フィルタ４２０に積もった粉塵は打撃突起４３１ｂの接触および摩擦によって離脱する。
【００４８】
ここで、取っ手４３２は、先端４３１で後方に延長され、下部ハウジング３００の外側またはトレイ４１０カバーのうちいずれか一つに突出する固定突起（図示せず）を備え、固定突起（図示せず）に結合されるように取っ手４３２に固定穴４３２ａを含み得る。
【００４９】
すなわち、本発明は、フィルタ清掃手段４３０を下部ハウジング３００またはトレイ４１０カバーのうちいずれか一つに形成された固定突起（図示せず）に取っ手４３２の固定穴４３２ａを締結させて保管し、清掃時にのみフィルタ清掃手段４３０を分離して使えるように構成することが好ましい。
【００５０】
以上、説明した本発明の実施形態は例示的なものに過ぎなく、本発明が属する技術分野の通常の知識を有する者であれば、これに基づいて多様な変形および均等の他実施形態が可能であることを理解することができる。
【符号の説明】
【００５１】
１００    ユーザー保護ヘッド
１１０    フレーム
１２０    透明窓
１３０    ヘッドヒンジ
１３１    ヒンジ棒
１３２    支持板
１３２ａ  摩擦防止溝
２００    上部ハウジング
２１０    第１吸入口
２２０    第２吸入口
２３０    上部本体
２４０    上部ヒンジ
２４１    締結口
２４２    案内板
２５０    渦流防止手段
２５１    水平リブ
２５２    垂直リブ
３００    下部ハウジング
３１０    収容部
４００    フィルタアセンブリ
４１０    トレイ
４１１    排出部
４１２    開口部
４１３    案内レール
４２０    フィルタ
４３０    フィルタ清掃手段
４３１    先端
４３１ａ  離隔溝
４３１ｂ  打撃突起
４３２    取っ手
５００    ファンモータ
【図１】
2020130996.tif 000003
【図２】
2020130996.tif 000004
【図３】
2020130996.tif 000005
【図４】
2020130996.tif 000006
【図５】
2020130996.tif 000007
【図６】
2020130996.tif 000008
【図７】
2020130996.tif 000009
【図８】
2020130996.tif 000010